(57)【要約】【課題】どのような場所に設置されても、また、昼夜の別を問わず、光触媒機能を利用することによって、消臭、脱臭、抗菌等の空気清浄機能を発揮し得る室内装飾物を提供することを課題とする。【解決手段】本発明にかかる室内装飾物１３０は、光触媒が担持された装飾物本体２０と、前記装飾物本体２０の近傍に設けられた前記光触媒を励起し得る波長の光を放出する光源部と、前記装飾物本体２０近傍に空気の流れを生じさせる空気流形成部１５０とを備えたことを特徴としている。【選択図】図７
2010084288.tif 000002
【特許請求の範囲】
【請求項１】
光触媒が担持された装飾物本体と、
前記装飾物本体の近傍に設けられた前記光触媒を励起し得る波長の光を放出する光源部と、
前記装飾物本体近傍に空気の流れを生じさせる空気流形成部とを備えた
ことを特徴とする空気清浄機能を有する室内装飾物。
【請求項２】
前記光源部の近傍に、蓄光石、蛍光石、高輝度蓄光材、および蓄光シートの少なくとも一つが設けられている
請求項１に記載の空気清浄機能を有する室内装飾物。
【請求項３】
前記装飾物本体が、花器に設けられた人工植物であり、
前記花器に前記光源部が設けられており、
前記花器および前記花器近傍の少なくとも一方に、前記空気流形成部が設けられている
請求項１または２に記載の空気清浄機能を有する室内装飾物。
【請求項４】
前記装飾物本体が、花器に設けられた人工植物であり、
前記光源部が、前記人工植物を構成する雄しべおよび雌しべの少なくとも一方を模して構成されており、
前記花器および前記花器近傍の少なくとも一方に、前記空気流形成部が設けられている
請求項１または２に記載の空気清浄機能を有する室内装飾物。
【発明の詳細な説明】
【技術分野】
【０００１】
本発明は、室内装飾物に関し、詳しくは、空気清浄機能を有する室内装飾物（特に、人工観葉植物）に関するものである。
【背景技術】
【０００２】
従来から、光触媒機能を利用して消臭等を行う、造花等の人工植物が知られている（例えば、特許文献１参照）。
【０００３】
上記従来技術にかかる人工植物は、太陽光や室内照明等の光によって光触媒が励起され、消臭等の機能が発揮される。つまり、従来技術にかかる人工植物は、太陽光を利用する場合には窓際に置かれ、また、室内照明を利用する場合には紫外線を含む室内照明の近く（例えば直下）に置かれるというように、効果的に光触媒の作用を得るべく、その設置位置が定められている。
【０００４】
しかしながら、室内において、光触媒の作用を得たい場所が必ずしも「窓際」や「室内照明の近く」であるとは限らない。したがって、その家や部屋の構造等によって、従来技術にかかる人工植物を設置しても、光触媒の機能を効果的に得ることができないという問題があった。
【０００５】
また、夜間においては、当然のことながら「太陽光」を利用することができないため、上記従来技術にかかる人工植物は、光触媒の機能を効果的に得ることができないという問題があった。さらに、夜間の就寝後においては、「室内照明」を利用することもできないため（就寝後においては室内照明等を消灯するため）、同様に、上記従来技術にかかる人工植物は、光触媒の機能を効果的に得ることができないという問題があった。
【０００６】
【特許文献１】特開平９−２０９２０８号公報
【発明の開示】
【発明が解決しようとする課題】
【０００７】
そこで、本発明は、上記従来技術にかかる問題を解決するためになされたものであって、どのような場所に設置されても、また、昼夜の別を問わず、光触媒機能を利用することによって、消臭、脱臭、抗菌等の空気清浄機能を発揮し得る室内装飾物を提供することを課題とする。
【課題を解決するための手段】
【０００８】
本発明にかかる空気清浄機能を有する室内装飾物（以下、単に「室内装飾物」という。）は、上記課題を解決するためになされたものであって、光触媒が担持された装飾物本体と、前記装飾物本体の近傍に設けられた前記光触媒を励起し得る波長の光を放出する光源部と、前記装飾物本体近傍に空気の流れを生じさせる空気流形成部とを備えたことを特徴としている。
【０００９】
このような構成によれば、光触媒が担持された装飾物本体近傍に、前記光源部が設けられているため、「太陽光」や「室内照明」の有無に関わらず、前記光源部を発光させることによって、効果的に光触媒機能を利用することができる。したがって、本発明によれば、設置される場所や昼夜の別を問わず、消臭、脱臭、抗菌、除菌等の空気清浄機能を発揮し得る室内装飾物を得ることができる。
加えて、このような構成によれば、空気流形成部が設けられているため、前記装飾物本体近傍に空気の流れが生じ（つまり、空気の対流が促され）、光触媒が担持された前記装飾物本体に対する空気の接触量が増加する。したがって、本発明によれば、空気に対する、消臭、脱臭、抗菌、除菌等の効果をより高めることが可能となる。前記空気流形成部としては、例えば、送風機、空調装置、換気装置、オイルヒータ等があげられる。
【００１０】
また、本発明にかかる室内装飾物においては、前記光源部の近傍に、蓄光石、蛍光石、高輝度蓄光材、および蓄光シートの少なくとも一つが設けられている構成が好ましい。
【００１１】
この好ましい構成によれば、前記光源部の近傍に、蓄光石、蛍光石、高輝度蓄光材、および蓄光シートの少なくとも一つを設けることによって、前記光源部の電源を落とした後であっても、蓄光石、蛍光石、高輝度蓄光材、および蓄光シートの少なくとも一つが発光するため、癒しの効果を発揮すると共に、非常時における目印等としての効果を得ることもできる。
【００１２】
さらに、本発明にかかる室内装飾物においては、前記装飾物本体が、花器に設けられた人工植物であり、前記花器に前記光源部が設けられており、前記花器および前記花器近傍の少なくとも一方に、前記空気流形成部が設けられている構成が好ましい。
【００１３】
また、本発明にかかる室内装飾物においては、前記装飾物本体が、花器に設けられた人工植物であり、前記光源部が、前記人工植物を構成する雄しべおよび雌しべの少なくとも一方を模して構成されており、前記花器および前記花器近傍の少なくとも一方に、前記空気流形成部が設けられている構成が好ましい。さらに、本発明にかかる室内装飾物においては、前記雄しべの花糸および前記雌しべの花柱の少なくとも一方を模した部位が、光ファイバを用いて構成されており、前記光ファイバの一方端部が、前記花器内部に設けられた光源本体部に近接して設けられている構成が好ましい。
【００１４】
また、本発明にかかる室内装飾物においては、前記光源部が、環状に構成され、前記装飾物本体が、前記環状の光源部周囲に設けられた人工植物を用いて構成されたリースであることが好ましい。さらに、本発明にかかる室内装飾物においては、リースである前記人工植物の近傍に、空気流形成部が設けられている構成も好ましい。また、リースである前記人工植物の近傍に、蓄光石、蛍光石、高輝度蓄光材、および蓄光シートの少なくとも一つを設ける構成も好ましい。
【発明の効果】
【００１５】
本発明によれば、どのような場所に設置されても、また、昼夜の別を問わず、光触媒機能を利用することによって、消臭、脱臭、抗菌、除菌等の空気清浄機能を発揮し得る室内装飾物を得ることができる。
【発明を実施するための最良の形態】
【００１６】
以下、図面に基づいて、本発明の実施形態を説明する。
【００１７】
＜第一実施形態＞
図１は、本発明の第一実施形態にかかる空気清浄機能を有する室内装飾物１（以下、単に「室内装飾物」という。）の概略斜視図を示したものである。また、図２は、本実施形態にかかる室内装飾物１を構成する花器１０の概略斜視図を示したものである。
【００１８】
この図１に示すように、本実施形態にかかる室内装飾物１は、花器１０と、花器１０上に設けられた人工植物２０とを用いて構成されている。
【００１９】
図１から明らかなように、人工植物２０（本発明の「装飾物本体」に相当）は、複数の人工の花（例えば、ユリを模した造花２１）や複数の人工の葉（例えば、造葉２２）を用いて構成されている（なお、他の造花および造葉については、図面の煩雑化を防ぐために、符号を付すことを省略している。）。そして、この複数の造花や造葉を用いて構成された人工植物２０には、光触媒が担持されている。
【００２０】
上述した「光触媒」とは、紫外線等の光エネルギによって活性化されて、その表面の物質を酸化することによって、種々の有機物を分解することにより、抗菌作用、除菌作用、脱臭作用等の効果を発揮し得る物質である。この「光触媒」としては、例えば、酸化チタン、酸化亜鉛、および酸化ジルコニウム等の少なくとも一つを用いたものが使用される（つまり、これらのいずれか一つを用いることも、また複合的に用いることも可能である。）。
【００２１】
本実施形態においては、人工植物２０（造花２１および造葉２２等）が、紙、パルプ、自然繊維、および化学繊維のいずれか、あるいはこれらを組み合わせて構成されており、その表面には、酸化チタン層が形成されている。
【００２２】
なお、本実施形態においては、装飾物本体として、上述した人工植物２０を用いるが、本発明はこの構成に限定されない。したがって、例えば、本発明にかかる装飾物本体を構成する要素としては、ドライフラワー、プリザーブドフラワー、あるいはプリザーブドグリーン等を用いてもよい。すなわち、これらのドライフラワー、プリザーブドフラワー、あるいはプリザーブドグリーン等の表面に酸化チタン層を設けて、本発明にかかる装飾物本体を構成してもよい。
【００２３】
この酸化チタン層は、例えば、人工植物２０を構成する造花２１や造葉２２の表面に酸化チタン溶液を塗布する塗布工程と、塗布した酸化チタン溶液を乾燥させる乾燥工程とを複数回行うことによって形成される。例えば、図１に示すようにアレンジされた人工植物２０に対して、スプレーあるいは刷毛等を用いて酸化チタン溶液を塗布し（塗布工程）、その後、ドライヤ、送風機、あるいは自然乾燥によって酸化チタン溶液を乾燥させる（乾燥工程）。これらの塗布工程および乾燥工程を複数回（例えば２〜３回）繰り返すことによって、光触媒が担持された人工植物２０が構成される。
【００２４】
なお、塗布工程等は上述した方法に限定されるものではなく、例えば、一つ一つの造花２１や造葉２２等の複数の造花および造葉について塗布工程および乾燥工程を行い、その表面に酸化チタン層が形成された複数の造花や造葉等を用いて、図１に示すような人工植物２０をアレンジするようにしてもよい。
【００２５】
上述したように構成された人工植物２０が設けられた花器１０は、具体的には、図２に示すように構成されている。図２に示される花器１０は、花器本体部１１と、花器本体部１１の上側縁部１１ａに設けられた複数のランプ１２（本発明の「光源部」に相当）とを用いて構成されている。このランプ１２の数は特に限定されるものではなく、光触媒の機能を効果的に発揮させ得る光量を得ることができるか否か、あるいはデザイン的な観点に基づいて適宜定められる。
【００２６】
このランプ１２は、人工植物２０を構成する造花や造葉の表面に担持された光触媒を励起し得る波長の光を放出すべく構成されており、例えば、４００ｎｍ以下の波長の光を放出するものが使用される。例えば、ランプ１２としては、蛍光灯、紫外線ランプ、発光ダイオード（紫外線を発する発光ダイオード（ＬＥＤ）を含む）、ブラックライト等を用いることができる。
【００２７】
また、このランプ１２は、必要に応じて、常時点灯したり、点滅したり、隣接するランプが交互に点灯および消灯（点滅）を繰り返すように構成してもよい。さらに、例えば、光センサ等を用いて、ランプ１２の点灯状態を制御してもよい。具体的には、太陽（昼間）あるいは室内照明によって必要な光量を得ることができると判断される場合（光センサが所定値以上の光量を検知している場合）には、ランプ１２は消灯状態を維持し、夜間等で必要な光量を得ることができなくなった場合（光センサが所定値未満の光量しか検知していない場合）には、ランプ１２を点灯あるいは点滅させてもよい。
【００２８】
本実施形態にかかる室内装飾物１は、以上のように構成されているため、次のような作用効果を得ることができる。
【００２９】
本実施形態にかかる室内装飾物１は、上述したように、光触媒が担持された人工植物２０（装飾物本体）と、人工植物２０の近傍に設けられた光触媒を励起し得る波長の光を放出するランプ１２（光源部）とを備えている。つまり、光触媒が担持された人工植物２０の近傍にランプ１２が設けられているため、「太陽光」や「室内照明」の有無に関わらず、ランプ１２を発光させることによって、効果的に光触媒機能を利用することができる。したがって、本実施形態によれば、設置される場所や昼夜の別を問わず、消臭、脱臭、抗菌、除菌等の空気清浄機能を発揮し得る室内装飾物を得ることができる。
【００３０】
＜第二実施形態＞
次に、本発明の第二実施形態にかかる空気清浄機能を有する室内装飾物（以下、単に「室内装飾物」という。）について説明する。図３は、本実施形態にかかる室内装飾物３０の概略断面図を示したものである。なお、以下においては、第一実施形態と同様の構成要素については詳細な説明を省略し、主に、第一実施形態と異なる構成要素について説明を行う。
【００３１】
この図３に示すように、本実施形態にかかる室内装飾物３０は、花器１０と、花器１０上に設けられた人工植物２０とを用いて構成されている。
【００３２】
先に説明した第一実施形態と同様に、本実施形態にかかる人工植物２０（本発明の「装飾物本体」に相当）も、図３から明らかなように、複数の人工の花（例えば、ユリを模した造花２１）や複数の人工の葉（造葉２２）を用いて構成されている（なお、他の造花および造葉については、図面の煩雑化を防ぐために、符号を付すことを省略している。）。そして、この複数の造花や造葉を用いて構成された人工植物２０には、光触媒が担持されている。
【００３３】
本実施形態にかかる人工植物２０は、第一実施形態と同様に、光触媒が担持された複数の造花２１および造葉等を用いて構成されており、具体的には、各造花２１および造葉等の表面に酸化チタン層が形成されている。各造花２１および造葉等は、第一実施形態と同様に、紙、パルプ、自然繊維、および化学繊維のいずれか、あるいはこれらを組み合わせて構成されており、その表面には、酸化チタン層が形成されている。また、本実施形態においても、第一実施形態同様に、装飾物本体は、上述した人工植物２０に限定されず、例えば、ドライフラワー、プリザーブドフラワー、あるいはプリザーブドグリーン等を用いてもよい。すなわち、これらのドライフラワー、プリザーブドフラワー、あるいはプリザーブドグリーン等の表面に酸化チタン層を設けて、本発明にかかる装飾物本体を構成してもよい。
【００３４】
以上のように構成された室内装飾物３０においては、図３に示すように、花器本体部１１内部に、人工植物２０を構成する造花２１や造葉の表面に担持された光触媒を励起し得る波長の光を放出する、光源本体部３１が設けられている。この光源本体部３１としては、４００ｎｍ以下の波長の光を放出するものが使用され、例えば、蛍光灯、紫外線ランプ、発光ダイオード（紫外線を発する発光ダイオード（ＬＥＤ）を含む）、ブラックライト等が用いられる。
【００３５】
また、本実施形態においては、造花２１等の内部に設けられた雄しべの花糸および雌しべの花柱の少なくとも一方を模した部位３２（以下、「花芯等部位」という。）が、光ファイバを用いて構成されており、この花芯等部位３２を構成する光ファイバの一方端部３２ａが、花器本体部１１内部に設けられた光源本体部３１に近接して設けられている。加えて、この花芯等部位３２の他方端部には、透明あるいは半透明の合成樹脂やガラス等にて構成された光発散部３３が設けられている。この光発散部３３は、例えば、球体あるいは多面体に構成されている。また、この光発散部３３は、雄しべの葯および雌しべの柱頭の少なくとも一方を模して構成してもよい。
【００３６】
上述したように、本実施形態においては、花芯等部位３２（光ファイバ）の一方端部３２ａが光源本体部３１に近接して設けられ、花芯等部位３２（光ファイバ）の他方端部には光発散部３３が設けられている。したがって、本実施形態によれば、光源本体部３１が点灯あるいは点滅することによって、花芯等部位３２（光ファイバ）の他方端部に設けられた光発散部３３が点灯あるいは点滅することとなる。すなわち、本実施形態によれば、光触媒が担持された装飾物本体が人工植物２０であって、本発明にかかる光源部が、造花２１等の雄しべおよび雌しべの少なくとも一方を模した花芯等部位３２として構成されることとなる。
【００３７】
また、光源本体部３１は、必要に応じて、常時点灯したり、点滅したり、隣接するランプが交互に点灯および消灯（点滅）を繰り返すように構成してもよい。さらに、例えば、光センサ等を用いて、光源本体部３１の点灯状態を制御してもよい。具体的には、太陽（昼間）あるいは室内照明によって必要な光量を得ることができると判断される場合（光センサが所定値以上の光量を検知している場合）には、光源本体部３１は消灯状態を維持し、夜間等で必要な光量を得ることができなくなった場合（光センサが所定値未満の光量しか検知していない場合）には、光源本体部３１を点灯あるいは点滅させてもよい。
【００３８】
なお、本実施形態において、花芯等部位３２は、造花の内部に設けられたものに限定されず、光源本体部３１からの光を光ファイバ等を用いて人工植物２０（造花および造葉）に照射可能であれば、造花の外部（例えば、造花２１等の近傍および造葉の近傍）に設けられたものも含む概念である。
【００３９】
本実施形態にかかる室内装飾物３０は、以上のように構成されているため、次のような作用効果を得ることができる。
【００４０】
本実施形態にかかる室内装飾物３０は、上述したように、光触媒が担持された人工植物２０（装飾物本体）と、光触媒を励起し得る波長の光を放出する光源本体部３１、花芯等部位３２、および光発散部３３を用いて構成される光源部等とを備えている。つまり、光触媒が担持された人工植物２０の近傍に光源部（光発散部３３等）が設けられているため、「太陽光」や「室内照明」の有無に関わらず、光源本体部３１を発光させることによって、効果的に光触媒機能を利用することができる。したがって、本実施形態によれば、設置される場所や昼夜の別を問わず、消臭、脱臭、抗菌、除菌等の空気清浄機能を発揮し得る室内装飾物を得ることができる。
【００４１】
また、本実施形態によれば、光ファイバ等を用いて構成された、造花２１等の雄しべおよび雌しべの少なくとも一方を模した花芯等部位３２等を光源部としているため、より自然に近い形で人工植物２０と花器１０とを用いた室内装飾物３０を構成可能である。つまり、本実施形態によれば、花器１０および人工植物２０以外の他の特殊な構成要素を設けることなく、設置される場所や昼夜の別を問わず、消臭、脱臭、抗菌、除菌等の空気清浄機能を発揮し得る室内装飾物を得ることができる。
【００４２】
＜第三実施形態＞
次に、本発明の第三実施形態にかかる空気清浄機能を有する室内装飾物（以下、単に「室内装飾物」という。）について説明する。図４は、本実施形態にかかる室内装飾物４０の概略正面図を示したものである。
【００４３】
この図４に示すように、本実施形態にかかる室内装飾物４０は、環状に構成された環状ランプ４１（本発明の「環状の光源部」に相当）と、この環状ランプ４１の周囲に設けられた人工植物（造花５１および造葉５２等）を用いて構成されたリース５０とを用いて構成されている。
【００４４】
図４から明らかなように、人工植物にて構成されたリース５０（本発明の「装飾物本体」に相当）は、複数の人工の花（例えば、バラを模した造花５１）や複数の人工の葉（例えば、造葉５２）を用いて構成されている（なお、他の造花および造葉については、図面の煩雑化を防ぐために、符号を付すことを省略している。）。そして、この複数の造花や造葉を用いて構成された人工植物によるリース５０には、光触媒が担持されている。
【００４５】
本実施形態においては、人工植物から成るリース５０（造花５１および造葉５２等）が、第一実施形態および第二実施形態と同様に、紙、パルプ、自然繊維、および化学繊維のいずれか、あるいはこれらを組み合わせて構成されており、その表面には、酸化チタン層が形成されている。また、本実施形態においても、第一実施形態および第二実施形態と同様に、装飾物本体は、上述した人工植物に限定されず、例えば、ドライフラワー、プリザーブドフラワー、あるいはプリザーブドグリーン等を用いてもよい（これれを用いて「リース」を構成してもよい。）。すなわち、これらのドライフラワー、プリザーブドフラワー、あるいはプリザーブドグリーン等の表面に酸化チタン層を設けて、本発明にかかる装飾物本体（リース）を構成してもよい。
【００４６】
この酸化チタン層は、第一実施形態の場合と同様に、例えば、リース５０を構成する造花５１や造葉５２の表面に酸化チタン溶液を塗布する塗布工程と、塗布した酸化チタン溶液を乾燥させる乾燥工程とを複数回行うことによって形成される。この塗布工程および乾燥工程は、図４に示すようにアレンジしたリース５０に対して行われる。つまり、リース５０に対して図１にて説明した塗布工程および乾燥工程が行われることによって、一つ一つの造花５１や造葉５２等の複数の造花および造葉の表面に酸化チタン層が形成される。そして、環状ランプ４１の周囲に、図４に示すような光触媒が担持された人工植物から成るリース５０が構成される。
【００４７】
環状ランプ４１は、リース５０を構成する造花や造葉の表面に担持された光触媒を励起し得る波長の光を放出すべく構成されており、例えば、４００ｎｍ以下の波長の光を放出するものが使用される。例えば、環状ランプ４１としては、蛍光灯、紫外線ランプ、発光ダイオード（紫外線を発する発光ダイオード（ＬＥＤ）を含む）、ブラックライト等を用いることができる。
【００４８】
また、この環状ランプ４１は、第一実施形態にて説明したランプ１２と同様に、必要に応じて、常時点灯したり、点滅したり、隣接するランプが交互に点灯および消灯（点滅）を繰り返すように構成してもよい。さらに、例えば、光センサ等を用いて、環状ランプ４１の点灯状態を制御してもよい。具体的には、太陽（昼間）あるいは室内照明によって必要な光量を得ることができると判断される場合（光センサが所定値以上の光量を検知している場合）には、環状ランプ４１は消灯状態を維持し、夜間等で必要な光量を得ることができなくなった場合（光センサが所定値未満の光量しか検知していない場合）には、環状ランプ４１を点灯あるいは点滅させてもよい。
【００４９】
本実施形態にかかる室内装飾物４０は、以上のように構成されているため、第一実施形態および第二実施形態と同様の効果を得ることができる。具体的には、光触媒が担持された人工植物から成るリース５０の近傍に（内部に）環状ランプ４１が設けられているため、「太陽光」や「室内照明」の有無に関わらず、環状ランプ４１を発光させることによって、効果的に光触媒機能を利用することができる。したがって、本実施形態によれば、設置される場所や昼夜の別を問わず、消臭、脱臭、抗菌、除菌等の空気清浄機能を発揮し得る室内装飾物を得ることができる。
【００５０】
＜第四実施形態＞
次に、本発明の第四実施形態にかかる空気清浄機能を有する室内装飾物（以下、単に「室内装飾物」という。）について説明する。図５は、本実施形態にかかる室内装飾物１０１の概略斜視図を示したものである。また、図６は、本実施形態にかかる室内装飾物１０１を構成する花器１１０の概略斜視図を示したものである。なお、以下においては、第一実施形態と同様の構成要素については同様の符号を付して詳細な説明を省略し、主に、第一実施形態と異なる構成要素について説明を行う。
【００５１】
この図５に示すように、本実施形態にかかる室内装飾物１０１は、花器１１０と、花器１１０上に設けられた人工植物２０とを用いて構成されている。
【００５２】
先に説明した第一実施形態と同様に、本実施形態にかかる人工植物２０（本発明の「装飾物本体」に相当）も、複数の人工の花（例えば、ユリを模した造花２１）や複数の人工の葉（造葉２２）を用いて構成されている（なお、他の造花および造葉については、図面の煩雑化を防ぐために、符号を付すことを省略している。）。そして、この複数の造花や造葉を用いて構成された人工植物２０には、光触媒が担持されている。本実施形態にかかる人工植物２０は、第一実施形態と同様の構成であるため、ここではその詳細な説明を省略する。
【００５３】
本実施形態にかかる人工植物２０が設けられた花器１１０は、具体的には、図６に示すように構成されている。図６に示される花器１１０は、花器本体部１１１と、花器本体部１１１の上側縁部１１１ａに設けられた複数のランプ１１２（本発明の「光源部」に相当）と、複数の蓄光石１１３とを用いて構成されている。このランプ１１２あるいは蓄光石１１３の数は特に限定されるものではなく、光触媒の機能を効果的に発揮させ得る光量を得ることができるか否か、あるいはデザイン的な観点に基づいて適宜定められる。
【００５４】
このランプ１１２は、人工植物２０を構成する造花や造葉の表面に担持された光触媒を励起し得る波長の光を放出すべく構成されており、例えば、４００ｎｍ以下の波長の光を放出するものが使用される。例えば、ランプ１１２としては、蛍光灯、紫外線ランプ、発光ダイオード（紫外線を発する発光ダイオード（ＬＥＤ）を含む）、ブラックライト等を用いることができる。
【００５５】
また、このランプ１１２は、必要に応じて、常時点灯したり、点滅したり、隣接するランプが交互に点灯および消灯（点滅）を繰り返すように構成してもよい。さらに、例えば、光センサ等を用いて、ランプ１１２の点灯状態を制御してもよい。具体的には、太陽（昼間）あるいは室内照明によって必要な光量を得ることができると判断される場合（光センサが所定値以上の光量を検知している場合）には、ランプ１１２は消灯状態を維持し、夜間等で必要な光量を得ることができなくなった場合（光センサが所定値未満の光量しか検知していない場合）には、ランプ１１２を点灯あるいは点滅させてもよい。
【００５６】
さらに、本実施形態にかかる花器１１０を構成する蓄光石１１３（例えば、蓄光発光セラミックス）は、自然光等から紫外線を充電可能に構成されており、その紫外線を放出することによって光を発する。つまり、蓄光石１１３は、自然光やランプ１１２からのエネルギに基づき、発光することとなるため、ランプ１１２の制御具合等に応じて、癒しの効果を発揮し、非常時における目印等としての効果を得ることもできる。
【００５７】
加えて、本実施形態においては、図３にて示した第二実施形態と同様に、花器本体部１１１内部に、人工植物２０を構成する造花２１や造葉２２の表面に担持された光触媒を励起し得る波長の光を放出する、光源本体部（図示省略）が設けられている。この光源本体部としては、４００ｎｍ以下の波長の光を放出するものが使用され、例えば、蛍光灯、紫外線ランプ、発光ダイオード（紫外線を発する発光ダイオード（ＬＥＤ）を含む）、ブラックライト等が用いられる。
【００５８】
また、本実施形態においては、造花２１等の内部に設けられた雄しべの花糸および雌しべの花柱の少なくとも一方を模した部位（花芯等部位）が、光ファイバを用いて構成されており、この花芯等部位を構成する光ファイバの一方端部が、花器本体部１１１内部に設けられた光源本体部に近接して設けられている。そして、この花芯等部位の他方端部には、透明あるいは半透明の合成樹脂やガラス等にて構成された光発散部３３が設けられている。この光発散部３３は、例えば、球体あるいは多面体に構成されている。また、この光発散部３３は、雄しべの葯および雌しべの柱頭の少なくとも一方を模して構成してもよい。（第二実施形態参照）
【００５９】
上述したように、本実施形態においては、花芯等部位（光ファイバ）の一方端部が光源本体部に近接して設けられ、花芯等部位（光ファイバ）の他方端部には光発散部３３が設けられている。したがって、本実施形態によれば、光源本体部が点灯あるいは点滅することによって、花芯等部位（光ファイバ）の他方端部に設けられた光発散部３３が点灯あるいは点滅することとなる。すなわち、本実施形態によれば、光触媒が担持された装飾物本体が人工植物２０であって、造花２１等の雄しべおよび雌しべの少なくとも一方を模した花芯等部位も、本発明にかかる光源部として機能する。
【００６０】
さらに、本実施形態においては、造花２１や造葉２２等の間に、ワイヤ等の支持部にて支持された発光部３４が設けられている。この発光部３４は、光源部として機能し、例えば、４００ｎｍ以下の波長の光を放出する、蛍光灯、紫外線ランプ、発光ダイオード（紫外線を発する発光ダイオード（ＬＥＤ）を含む）、ブラックライト等を用いて構成されている。なお、造花２１や造葉２２の間に設けられた光源部（本実施形態における発光部３４）は、この構成に限定されず、必要に応じて、上述した光発散部３３と同様の構成としてもよい。つまり、光発散部を造花２１や造葉２２の間に設ける構成としてもよい。
【００６１】
本実施形態にかかる室内装飾物１０１は、以上のように構成されているため、次のような作用効果を得ることができる。
【００６２】
本実施形態にかかる室内装飾物１０１は、上述したように、光触媒が担持された人工植物２０（装飾物本体）と、人工植物２０の近傍に設けられた光触媒を励起し得る波長の光を放出するランプ１１２（光源部）等（ランプ１１２、光発散部３３、発光部３４）とを備えている。つまり、光触媒が担持された人工植物２０の近傍にランプ１１２等が設けられているため、「太陽光」や「室内照明」の有無に関わらず、ランプ１１２等を発光させることによって、効果的に光触媒機能を利用することができる。したがって、本実施形態によれば、設置される場所や昼夜の別を問わず、消臭、脱臭、抗菌、除菌等の空気清浄機能を発揮し得る室内装飾物を得ることができる。
【００６３】
また、本実施形態にかかる室内装飾物１０１は、ランプ１１２近傍に蓄光石１１３を有している。したがって、本実施形態によれば、この蓄光石１１３が発光することによって、癒しの効果を得ることができると共に、非常時における目印等としての効果を得ることもできる。なお、本発明はこの構成（蓄光石）に限定されず、例えば、蓄光石、蛍光石、高輝度蓄光材、および蓄光シートの少なくとも一つをランプ１１２近傍に設ける構成としてもよい。
【００６４】
＜第五実施形態＞
次に、本発明の第五実施形態にかかる空気清浄機能を有する室内装飾物（以下、単に「室内装飾物」という。）について説明する。図７は、本実施形態にかかる室内装飾物１３０の概略断面図を示したものである。なお、以下においては、第一実施形態と同様の構成要素については詳細な説明を省略し、主に、第一実施形態と異なる構成要素について説明を行う。
【００６５】
この図７に示すように、本実施形態にかかる室内装飾物１３０は、花器１４０と、送風機１５０（本発明の「空気流形成部」に相当）と、花器１４０上に設けられた人工植物２０とを用いて構成されている。
【００６６】
先に説明した第一実施形態と同様に、本実施形態にかかる人工植物２０（本発明の「装飾物本体」に相当）も、図７から明らかなように、複数の人工の花（例えば、ユリを模した造花）や複数の人工の葉（造葉）を用いて構成されている。そして、この複数の造花や造葉を用いて構成された人工植物２０には、光触媒が担持されている。
【００６７】
本実施形態にかかる人工植物２０は、第一実施形態と同様に、光触媒が担持された複数の造花および造葉等を用いて構成されており、具体的には、各造花および造葉等の表面に酸化チタン層が形成されている。各造花および造葉等は、第一実施形態と同様に、紙、パルプ、自然繊維、および化学繊維のいずれか、あるいはこれらを組み合わせて構成されており、その表面には、酸化チタン層が形成されている。また、本実施形態においても、第一実施形態同様に、装飾物本体は、上述した人工植物２０に限定されず、例えば、ドライフラワー、プリザーブドフラワー、あるいはプリザーブドグリーン等を用いてもよい。すなわち、これらのドライフラワー、プリザーブドフラワー、あるいはプリザーブドグリーン等の表面に酸化チタン層を設けて、本発明にかかる装飾物本体を構成してもよい。
【００６８】
以上のように構成された室内装飾物１３０においては、詳細は省略しているが、第一実施形態あるいは第二実施形態に示すように、花器本体部１４１の上側縁部あるいは花器本体部１４１内部に（必要に応じてこれらの両方の箇所に）、人工植物２０を構成する造花や造葉の表面に担持された光触媒を励起し得る波長の光を放出する、光源本体部（図示省略）が設けられている。この光源本体部としては、４００ｎｍ以下の波長の光を放出するものが使用され、例えば、蛍光灯、紫外線ランプ、発光ダイオード（紫外線を発する発光ダイオード（ＬＥＤ）を含む）、ブラックライト等が用いられる。
【００６９】
当然のことながら、第二実施形態に示すような構成の場合には、造花等の内部に設けられた雄しべの花糸および雌しべの花柱の少なくとも一方を模した部位（花芯等部位）が、光ファイバを用いて構成されており、この花芯等部位を構成する光ファイバの一方端部、花器本体部内部に設けられた光源本体部に近接して設けられている。加えて、この花芯等部位の他方端部には、透明あるいは半透明の合成樹脂やガラス等にて構成された光発散部が設けられている。この光発散部は、例えば、球体あるいは多面体に構成されている。また、この光発散部は、雄しべの葯および雌しべの柱頭の少なくとも一方を模して構成してもよい。
【００７０】
また、本実施形態においては、図７に示すように、花器本体部１４１の底部に、送風機１５０（空気流形成部）が設けられている。本実施形態にかかる送風機１５０は、回転翼１５１、モータ１５２、およびこれらを連結する回転軸１５３等を用いて構成されている。
【００７１】
本実施形態にかかる室内装飾物１３０は、花器本体部１４１の底部あるいは側面部に、一つあるいは複数の空気孔（図示省略）が設けられており、送風機１５０を駆動させる（モータ１５２を駆動させて回転軸１５３を介して回転翼１５１を回転駆動させる）ことによって、この空気孔から花器本体部１４１内に空気を導入可能に構成されている。この導入された空気は、送風機１５０によって上方に吹き上げられ、花器本体部１４１の上方に位置する人工植物２０に接触した後、室内に送られる。
【００７２】
本実施形態にかかる室内装飾物１３０は、以上のように構成されているため、次のような作用効果を得ることができる。
【００７３】
本実施形態にかかる室内装飾物１３０は、上述したように、光触媒が担持された人工植物２０（装飾物本体）と、人工植物２０の近傍に設けられた光触媒を励起し得る波長の光を放出するランプ（光源部）（図示省略）とを備えている。つまり、光触媒が担持された人工植物２０の近傍にランプが設けられているため、「太陽光」や「室内照明」の有無に関わらず、ランプを発光させることによって、効果的に光触媒機能を利用することができる。したがって、本実施形態によれば、設置される場所や昼夜の別を問わず、消臭、脱臭、抗菌、除菌等の空気清浄機能を発揮し得る室内装飾物を得ることができる。
【００７４】
また、本実施形態にかかる室内装飾物１３０は、上述したように、花器本体部１４１の底部に送風機１５０が設けられているため、人工植物２０（装飾物本体）近傍に空気の流れが生じ（つまり、空気の対流が促され）、光触媒が担持された人工植物２０（装飾物本体）に対する空気の接触量が増加する。したがって、本実施形態にかかる室内装飾物１３０によれば、空気に対する、消臭、脱臭、抗菌、除菌等の効果をより高めることが可能となる。
【００７５】
また、本実施形態においては、空気流形成部として送風機１５０を用いる場合について説明したが、本発明は、この構成に限定されず、例えば、空調装置、換気装置、オイルヒータ等を空気流形成部として用いてもよい。さらに、本実施形態においては、送風機１５０（空気流形成部）を花器本体部１４１内に設ける構成について説明したが、本発明はこの構成に限定されず、必要に応じて、花器本体部１４１の外面部に取り付けたり、花器本体部１４１外の人工植物２０近傍に設けたりしてもよい。すなわち、本発明にかかる「空気流形成部」の構成および取り付け位置は、何等かの構成に限定されるものではなく、人工植物２０（槽植物本体）およびその近傍に空気の流れを生じさせることが可能であればよい。
【００７６】
＜その他の実施形態＞
なお、本発明は、上記各実施形態に限定されるものではなく、本発明の趣旨に適合し得る範囲で必要に応じて種々の変更を加えて実施することも可能であり、それらはいずれも本発明の技術的範囲に含まれる。
【００７７】
例えば、第一実施形態においては、花器本体部１１に光源部として機能するランプ１２を設ける構成を示し、第二実施形態においては、造花内部あるいは造花等の近傍に光源部として機能する花芯等部位３２を設ける構成を示したが、本発明はこれらの構成に限定されるものではない。したがって、本発明は、例えば、これらの両方（ランプ１２および花芯等部位３２）を光源部として有するような室内装飾物としてもよい。
【００７８】
また、第三実施形態においては、光源部として環状ランプ４１を用いて、リース５０を用いた室内装飾物を構成する場合について説明したが、本発明は、この構成に限定されない。したがって、例えば、第一実施形態にて示したような小型のランプをリース５０の内部に複数設けるような構成としてもよい。また、例えば、第二実施形態にて示したように、リース５０内部のいずれかの箇所に光源本体部を設け、光ファイバによる花芯等部位を複数設けるような構成としてもよい。
【００７９】
さらに、上記第一実施形態および第二実施形態においては、「花器」が、一般の植物等に用いられるいわゆる「器状」のものである場合について説明したが、本発明はこの構成に限定されるものではない。つまり、本発明にかかる「花器」は、装飾物本体たる人工植物を支持可能であれば、その形状等は特に限定されない。したがって、例えば、電気スタンドのような「スタンド型」の花器も本発明に含まれる。この場合には、スタンド型の花器の上方位置（例えば、電気スタンドにおける「笠」が設けられる位置）に人工植物等の装飾物本体が設けられ、その人工植物中（第二実施形態参照）、あるいはその下方位置のスタンドに、光源部が設けられることとなる。
【００８０】
また、上述した各実施形態においては、装飾物本体たる「人工植物」に光触媒を担持させる構成について説明したが、本発明はこの構成に限定されない。したがって、例えば、本発明にかかる室内装飾物を成す「花器」に対しても光触媒を担持させる（酸化チタン層を形成させる）構成としてもよい。つまり、「花器」も含めて、本発明にかかる「装飾物本体」としてもよい。
【００８１】
さらに、上述した第五実施形態においては、花器本体部１４１内に送風機（空気流形成部）を設ける場合について説明したが、本発明はこの構成に限定されない。したがって、例えば、光触媒が担持された人口植物２０に接触する空気あるいはその周辺空気の空気流を形成可能であれば、花器本体部１４１内のみならず、花器本体部１４１あるいは人工植物２０の周辺に送風機等の空気流形成部を設ける構成としてもよい。
【００８２】
また、上述した実施形態においては、第五実施形態のみ空気流形成部を設ける場合について説明したが、本発明は、この構成に限定されない。したがって、例えば、他の実施形態（第一実施形態〜第四実施形態）においても、適切な箇所に空気流形成部を設ける構成としてもよい。
【図面の簡単な説明】
【００８３】
【図１】本発明の第一実施形態にかかる空気清浄機能を有する室内装飾物の概略斜視図を示したものである。
【図２】図１に示した室内装飾物を成す花器の概略斜視図を示したものである。
【図３】本発明の第二実施形態にかかる空気清浄機能を有する室内装飾物の概略断面図を示したものである。
【図４】本発明の第三実施形態にかかる空気清浄機能を有する室内装飾物の概略正面図を示したものである。
【図５】本発明の第四実施形態にかかる空気清浄機能を有する室内装飾物の概略斜視図を示したものである。
【図６】図５に示した室内装飾物を成す花器の概略斜視図を示したものである。
【図７】本発明の第五実施形態にかかる空気清浄機能を有する室内装飾物の概略断面図を示したものである。
【符号の説明】
【００８４】
１、３０、４０…室内装飾物
１０…花器
１１…花器本体部
１１ａ…上側縁部
１２…ランプ
２０…人工植物
２１、５１…造花
２２、５２…造葉
３１…光源本体部
３２…花芯等部位
３３…光発散部
３４…発光部
４１…環状ランプ
５０…リース
１０１、１３０…室内装飾物
１１０、１４０…花器
１１１、１４１…花器本体部
１１１ａ…上側縁部
１１２…ランプ
１１３…蓄光石
１５０…送風機（空気流形成部）
１５１…回転翼
１５２…モータ
１５３…回転軸
【図１】
2010084288.tif 000003
【図２】
2010084288.tif 000004
【図３】
2010084288.tif 000005
【図４】
2010084288.tif 000006
【図５】
2010084288.tif 000007
【図６】
2010084288.tif 000008
【図７】
2010084288.tif 000009